【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】  
撮影光束の一部を瞳分割し、分割光束を一対の再結像レンズにより再結像させる焦点検出光学系を有し、焦点検出光学系により形成される一対の像を撮像素子で受光し、一対の像の位置関係に基づいて撮影レンズの焦点調節状態を検出する位相差検出方式の焦点検出装置において、
撮影画面の中央とその周辺に、４個以上の焦点検出領域を設定して各焦点検出領域ごとに焦点検出光学系を備え、撮影画面周辺部の焦点検出領域に対応する再結像レンズの頂点を撮影レンズの光軸から等距離に配置することを特徴とする焦点検出装置。
【請求項２】  
撮影光束の一部を瞳分割し、分割光束を一対の再結像レンズにより再結像させる焦点検出光学系を有し、焦点検出光学系により形成される一対の像を撮像素子で受光し、一対の像の位置関係に基づいて撮影レンズの焦点調節状態を検出する位相差検出方式の焦点検出装置において、
撮影画面の中央とその周辺に、４個以上の焦点検出領域を設定して各焦点検出領域ごとに焦点検出光学系を備え、撮影画面周辺部の焦点検出領域に対応する再結像レンズの頂点を、撮影レンズの光軸を中心とする円上に複数対配置することを特徴とする焦点検出装置。
【請求項３】
請求項２に記載の焦点検出装置において、
前記再結像レンズの複数対の頂点は、複数の同心円上に配置されていることを特徴とする焦点検出装置。
【請求項４】
請求項１または請求項２に記載の焦点検出装置において、
撮影画面中央の焦点検出領域に対応する再結像レンズと撮影画面周辺部の焦点検出領域に対応する再結像レンズとを、単一の部材に一体に成形することを特徴とする焦点検出装置。
【請求項５】
撮影レンズによる被写体からの光束を一対の光束に分割して一対の再結像レンズにより再結像させる焦点検出光学系を有し、該焦点検出光学系により形成される一対の像に基づいて前記撮影レンズの焦点調節状態を検出する焦点検出装置において、
撮影画面の中央とその周辺の複数位置に設定された複数の焦点検出領域のそれぞれに対応した前記一対の再結像レンズを一体的に形成した再結像レンズユニットを備え、
前記周辺の複数位置に設定された複数の焦点検出領域に対応する再結像レンズの頂点を、前記再結像レンズユニットの前記中央の焦点検出領域に対応する位置から等距離に配置したことを特徴とする焦点検出装置。
【請求項６】
撮影レンズによる被写体からの光束を一対の光束に分割して一対の再結像レンズにより再結像させる焦点検出光学系を有し、該焦点検出光学系により形成される一対の像に基づいて前記撮影レンズの焦点調節状態を検出する焦点検出装置において、
撮影画面の中央とその周辺の複数位置に設定された複数の焦点検出領域のそれぞれに対応した前記一対の再結像レンズを一体的に形成した再結像レンズユニットを備え、
前記周辺の複数位置に設定された複数の焦点検出領域に対応する再結像レンズの頂点を、前記再結像レンズユニットの前記中央の焦点検出領域に対応する位置を中心とする円上に配置したことを特徴とする焦点検出装置。
【請求項７】
請求項１〜６のいずれか１項に記載の焦点検出装置を備えたことを特徴とするカメラ。
【請求項８】
複数の再結像レンズ対を備えるとともに、該複数の再結像レンズ対どうしの間隔を、前記複数の再結像レンズ対のそれぞれに外接する外接円どうしが重なるような間隔としたことを特徴とする再結像レンズユニット。
【請求項９】
請求項８に記載の再結像レンズユニットを成形する際に用いる中子であって、
前記複数の再結像レンズ対のそれぞれに対応する凹面を一体的に形成したことを特徴とする中子。
【手続補正２】
【補正対象書類名】明細書
【補正対象項目名】００１２
【補正方法】変更
【補正の内容】
【００１２】
【課題を解決するための手段】
（１）  一実施の形態を示す図１に対応づけて請求項１の発明を説明すると、請求項１の発明は、撮影光束の一部を瞳分割し、分割光束を一対の再結像レンズにより再結像させる焦点検出光学系を有し、焦点検出光学系により形成される一対の像を撮像素子で受光し、一対の像の位置関係に基づいて撮影レンズの焦点調節状態を検出する位相差検出方式の焦点検出装置に適用される。
そして、撮影画面の中央とその周辺に、４個以上の焦点検出領域を設定して各焦点検出領域ごとに焦点検出光学系を備え、撮影画面周辺部の焦点検出領域に対応する再結像レンズ３４ｅ〜３４ｌの頂点を撮影レンズの光軸Ｏから等距離Ｒ１に配置する。
（２）  一実施の形態を示す図７に対応づけて請求項２の発明を説明すると、請求項２の発明は、撮影光束の一部を瞳分割し、分割光束を一対の再結像レンズにより再結像させる焦点検出光学系を有し、焦点検出光学系により形成される一対の像を撮像素子で受光し、一対の像の位置関係に基づいて撮影レンズの焦点調節状態を検出する位相差検出方式の焦点検出装置に適用される。
そして、撮影画面の中央とその周辺に、４個以上の焦点検出領域を設定して各焦点検出領域ごとに焦点検出光学系を備え、撮影画面周辺部の焦点検出領域に対応する再結像レンズの頂点を、撮影レンズの光軸を中心とする円上に複数対配置する。
（３）  請求項３の焦点検出装置は、再結像レンズの複数対の頂点が、複数の同心円上に配置されている。
（４） 請求項４の焦点検出装置は、撮影画面中央の焦点検出領域に対応する再結像レンズと撮影画面周辺部の焦点検出領域に対応する再結像レンズとを、単一の部材に一体に成形する。
（５） 請求項５の発明は、撮影レンズによる被写体からの光束を一対の光束に分割して一対の再結像レンズにより再結像させる焦点検出光学系を有し、該焦点検出光学系により形成される一対の像に基づいて前記撮影レンズの焦点調節状態を検出する焦点検出装置において、撮影画面の中央とその周辺の複数位置に設定された複数の焦点検出領域のそれぞれに対応した前記一対の再結像レンズを一体的に形成した再結像レンズユニットを備え、前記周辺の複数位置に設定された複数の焦点検出領域に対応する再結像レンズの頂点を、前記再結像レンズユニットの前記中央の焦点検出領域に対応する位置から等距離に配置した。
（６） 請求項６の発明は、撮影レンズによる被写体からの光束を一対の光束に分割して一対の再結像レンズにより再結像させる焦点検出光学系を有し、該焦点検出光学系により形成される一対の像に基づいて前記撮影レンズの焦点調節状態を検出する焦点検出装置において、撮影画面の中央とその周辺の複数位置に設定された複数の焦点検出領域のそれぞれに対応した前記一対の再結像レンズを一体的に形成した再結像レンズユニットを備え、前記周辺の複数位置に設定された複数の焦点検出領域に対応する再結像レンズの頂点を、前記再結像レンズユニットの前記中央の焦点検出領域に対応する位置を中心とする円上に配置した。
（７） 請求項７の発明は、請求項１〜６のいずれか１項に記載の焦点検出装置を備えたカメラである。
（８） 請求項８の発明は、複数の再結像レンズ対を備えるとともに、該複数の再結像レンズ対どうしの間隔を、前記複数の再結像レンズ対のそれぞれに外接する外接円どうしが重なるような間隔とした。
（９） 請求項９の発明は、請求項８に記載の再結像レンズユニットを成形する際に用いる中子であって、前記複数の再結像レンズ対のそれぞれに対応する凹面を一体的に形成した。